(57)【要約】【課題】少ない包装材で確実な包装を行うことが可能で、信頼性の高い包装材および包装構造を提供する。【解決手段】被包装物の背面部を保護する第１の緩衝部Ａと、底面部を保護する第２の緩衝部Ｂと、側面部を保護する第３の緩衝部Ｃとを備えた包装材であって、第１の緩衝部が、第２および第３の緩衝部に連なる１枚のダンボール紙からなり、境界部が折り曲げ加工されて、軸方向に直交する断面形状が方形である筒状の外周壁を構成する外周壁構成領域１，２，３，４と、外周壁構成領域と連続し、外周壁の内部に配設される内部壁となる内部壁構成領域５，６であって、内部壁構成領域の間の折り曲げ部が、外周壁Ａ１の内面に当接し、外周壁構成領域と連続する領域とは逆側の、内部壁構成領域の先端部６ａが、コーナー部に当接する複数の内部壁構成領域と、外周壁の一部と係合し、外周壁を所定の形状に保持する係合領域Ａ３とを備えた構成とする。【選択図】図２
2005313977.tif 000002
【特許請求の範囲】
【請求項１】
被包装物の背面部を保護する第１の緩衝部と、被包装物の底面部を保護する第２の緩衝部と、被包装物の側面部を保護する第３の緩衝部とを備えた包装材であって、
前記第１の緩衝部が、前記第２の緩衝部および前記第３の緩衝部に連なる１枚のダンボール紙から形成されており、かつ、
前記第１の緩衝部が、
境界部が折り曲げ加工されて、軸方向に直交する断面形状が多角形である筒状の外周壁を構成する複数の外周壁構成領域と、
前記外周壁構成領域と連続し、前記外周壁の内部に配設される内部壁を構成する複数の内部壁構成領域であって、複数の内部壁構成領域の間の折り曲げ部の少なくとも１つが、外周壁構成領域を折り曲げ加工することにより形成される前記外周壁の内面に当接し、前記外周壁構成領域と連続する領域とは逆側の、内部壁構成領域の先端部または、外周壁の内面に当接する最後の折り曲げ部の次の折り曲げ部が、コーナー部に当接する複数の内部壁構成領域と、
前記外周壁の一部と係合し、前記外周壁を所定の形状に保持する係合領域とを備えていること
を特徴とする包装材。
【請求項２】
被包装物の背面部を保護する第１の緩衝部と、被包装物の底面部を保護する第２の緩衝部と、被包装物の側面部を保護する第３の緩衝部とを備えた包装材であって、
前記第１の緩衝部が、前記第２の緩衝部および前記第３の緩衝部に連なる１枚のダンボール紙から形成されており、かつ、
前記第１の緩衝部が、
境界部が谷になるように折り曲げ加工されて、軸方向に直交する断面形状が方形である筒状の外周壁を構成する第１、第２、第３および第４の外周壁構成領域と、
前記外周壁構成領域と連続し、前記外周壁の内部に配設される内部壁を構成する複数の内部壁構成領域であって、複数の内部壁構成領域の間の折り曲げ部の少なくとも１つが、外周壁構成領域を折り曲げ加工することにより形成される前記外周壁の内面に当接し、前記外周壁構成領域と連続する領域とは逆側の、内部壁構成領域の先端部または、外周壁の内面に当接する最後の折り曲げ部の次の折り曲げ部が、コーナー部に当接する複数の内部壁構成領域と、
前記外周壁の一部と係合し、前記外周壁を所定の形状に保持する係合領域と
を備え、
前記第１の外周壁構成領域が、折り曲げ加工されて前記外周壁の上面となり、前記第２の外周壁構成領域が、前記第１の外周壁構成領域と隣り合い、折り曲げ加工されて前記外周壁の前面となり、前記第３の外周壁構成領域が、前記第２の外周壁構成領域と隣り合い、折り曲げ加工されて前記外周壁の底面となり、前記第４の外周壁構成領域が、前記第３の外周壁構成領域と隣り合い、折り曲げ加工されて前記外周壁の背面となるように構成されており、
前記内部壁構成領域が２つの場合においては、２つの前記内部壁構成領域の間の折り曲げ部が、第２の外周壁構成領域の内面に当接し、前記外周壁構成領域と連続する領域とは逆側の、前記内部壁構成領域の先端部が、第４の外周壁構成領域と第３の外周壁構成領域の間のコーナー部に当接し、
前記内部壁構成領域が３つ以上の場合においては、複数の内部壁構成領域の間の折り曲げ部の連続する少なくとも２つが、第２の外周壁構成領域の内面と、第２の外周壁構成領域に対向する第４の外周壁構成領域の内面とに、交互に当接し、または、第２の外周壁構成領域の内面と、第２の外周壁構成領域に対向する第４の外周壁構成領域の内面のいずれか一方に当接し、前記外周壁構成領域と連続する領域とは逆側の、前記内部壁構成領域の先端部または、外周壁の内面に当接する最後の折り曲げ部の次の折り曲げ部が、コーナー部に当接し、
前記内部壁構成領域の間の１つまたは複数の折り曲げ部が、第２の外周壁構成領域の内周面の所定の位置に当接するように各内部壁構成領域の長さが定められており、
前記係合領域は、外周壁構成領域の一部と隣り合う、先端側係合領域と基端側係合領域を備えており、折り曲げ加工されることによって外周壁の内側に入り込み、前記先端側係合領域と前記基端側係合領域との間に、第３の外周壁構成領域を挟み込むことにより第１の緩衝部が所定の形状に保持されるように構成されていること
を特徴とする包装材。
【請求項３】
被包装物の底面部を保護する前記第２の緩衝部が、
前記基端側係合領域に連続し、底面となる第１０の領域と、
前記第１０の領域と隣り合い、折り曲げ加工されて垂直面となる第１１の領域と、
前記第１１の領域と隣り合い、折り曲げ加工されて上面となる第１２の領域と、
前記第１２の領域と隣り合い、折り曲げ加工されて前記第１１の領域と対向する垂直面となる第１３の領域と
を具備することを特徴とする請求項１または２記載の包装材。
【請求項４】
被包装物の側面部を保護する第３の緩衝部が、
前記第１の緩衝部を構成する前記第４の外周壁構成領域、前記基端側係合領域、および、第２の緩衝部を構成する前記第１０の領域と連続し、外側垂直面となる第２０の領域と、
前記第２０の領域と隣り合い、折り曲げ加工されて上面となる第２１の領域と、
前記第２１の領域と隣り合い、折り曲げ加工されて、外側垂直面である第２０の領域と対向する、内側垂直面となる第２２の領域と、
前記第２２の領域と隣り合い、前記第２の緩衝部と係合して第２および第３の緩衝部を所定の形状に保持する第３の緩衝部の係合部領域と
を具備することを特徴とする請求項１〜３のいずれかに記載の包装材。
【請求項５】
前記第２０の領域および前記第２１の領域のなす角度が９０゜より小さいことを特徴とする請求項１〜４のいずれかに記載の包装材。
【請求項６】
支柱部本体と、
その両端側に配設された一対の支柱側部と、
前記各支柱側部に連設された一方および他方の係合片と
を備えた支柱部を備え、
前記一方の係合片が、前記基端側係合領域と前記第３の外周壁構成領域の間に挿入され、前記他方の係合片が、底面となる前記第１０の領域と、底面となる第１０の領域から延設された折り曲げ領域との間に挿入されることにより前記包装材と一体に結合されていること
を特徴とする請求項１〜５のいずれかに記載の包装材。
【請求項７】
請求項１〜６のいずれかに記載の包装材が、被包装物の両端側に配設されたことを特徴とする包装構造。
【請求項８】
請求項１〜６のいずれかに記載の包装材を用いた被包装物の包装構造であって、
被包装物の下面側には、被包装物の下面側を保護する下ケースが配設され、
被包装物の両端部には、請求項１〜６のいずれかに記載の包装材が配設され、
被包装物の上面側には、被包装物の上面側を保護する上ケースが配設され、
締結部材により、前記上ケースと、前記下ケースと、請求項１〜６のいずれかに記載の包装材が一体に締結されていること
を特徴とする包装構造。
【請求項９】
前記締結部材がシュリンク包装材および／またはバンドであることを特徴とする請求項７または８に記載の包装構造。
【発明の詳細な説明】
【技術分野】
【０００１】
本願発明は、被包装物を包装する際に用いられる包装材および該包装材を用いて被包装物を包装する場合の包装構造に関する。
【背景技術】
【０００２】
図９は従来の紙製包装材を用いた加熱調理器（被包装物）の包装構造を示す分解斜視図である。この被包装物は、ガスを燃料として加熱調理を行う加熱調理器であって、この加熱調理器Ｘは、調理器本体（装置本体）７１と、天板（略プレート状部材）７２と、使用時に調理器本体７１や天板７２などに取り付けて用いられる付属部品を備えており、この付属部品には、大小２つの五徳７３ａ，７３ｂ、排気カバー７４、バーナキャップ（シートでカバーされている）７６、電池ケース７７、サイドモール７８などがある。
【０００３】
なお、調理器本体７１は、図９では天板７２の陰になっているコンロ及び内部に配設されたグリルを備えており、前面には、グリル扉７９、操作つまみ８０などが配設されている。
【０００４】
また、用いられている紙製包装材Ｙは、加熱調理器Ｘを収容する容器本体（図示せず）と、容器本体内における調理器本体７１の左右位置及び後方側位置を規定するとともに調理器本体７１の底面、側面及び後面を保護する左右の側パッド９２，９３と、調理器本体７１の前面と容器本体の前面側内壁との間に配設され、調理器本体７１の前方側の位置を規定するとともに調理器本体７１の前面を保護する前面パッド９４と、天板７２の下側の左右両端側に配設される一対の帯状部材９５ａ，９５ｂを備えてなる上面パッド９５であって、天板７２を所定の平面位置に保持するとともに、調理器本体７１と接触しないように保持する上面パッド９５と、天板７２の上面側に配設され、上述の付属部材を収容するとともに、被包装物である加熱調理器Ｘの上面を保護する付属部材保持パッド９６と、調理器本体７１の前面側に、グリル扉７９を保護するように配設されたグリル扉保護パッド９７を備えている。
【０００５】
なお、上記の紙製包装材Ｙを構成する容器本体（図示せず）は、紙製のボード状材料（この従来例では段ボール紙）を折り曲げ加工することにより箱状に形成されており、上部が開閉可能となっている。
【０００６】
また、左右の側パッド９２，９３は、段ボール紙を折り曲げ加工することにより形成されており、調理器本体７１の左右位置及び後方側位置を規定するとともに、調理器本体７１を容器本体の底面側内壁から所定距離だけ浮き上がらせ、かつ、容器本体の側面側内壁から所定距離だけ間隔をおいて保持することにより調理器本体７１の底面、側面及び後面を保護することができるように構成されている。
【０００７】
なお、左の側パッド９２は、図１０に分解斜視図を示すように、段ボール紙を折り曲げ加工してなる略直方体状の第１パッド部材９２ａ、及び側面形状が台形状の第２パッド部材９２ｂと、これらが収容、保持されるフレーム部材９２ｃなどを備えており、また、フレーム部材９２ｃの底面には、持ち運びの便利さを考慮して切欠き９２ｄが形成され、また、後方壁面部には、右の側パッド９３（図９）と、上下を逆にして、内面側が互いに対向するように重ね合わせた状態で保管したり搬送したりするときの体積が小さくなるように、切欠き９２ｅが形成され、さらに、第２パッド部材９２ｂの内周部には、くの字状の補強部材９２ｆが配設されている（特許文献１参照）。
【０００８】
しかし、上記のような包装材を用いた包装構造においては、台形状の第２パッド部材９２ｂの内部に挿入、配設されているくの字状の補強部材９２ｆは、通常、第２パッド部材９２ｂとは別部材として構成されているため、包装工程で、補強部材９２ｆが方向を間違えて第２パッド部材９２ｂの内側に挿入され、所望の強度が得られなくなったり、第２パッド部材９２ｂと補強部材９２ｆの位置ずれが生じて第２パッド部材９２ｂや補強部材９２ｆなどを組み合わせることにより形成された構造体が崩れてしまったりする場合があり、包装信頼性が必ずしも十分ではないという問題点がある。
さらに、包装材を構成する部品の点数が多くなることから、包装工程や包装材の保管が煩雑になり、コストの削減が制約されるという問題点がある。
【特許文献１】特開２００１−９７４５７号公報
【発明の開示】
【発明が解決しようとする課題】
【０００９】
本願発明は、上記背景に鑑みてなされたものであり、組み立てることが容易で、確実な包装を行うことが可能な、信頼性の高い包装材および該包装材を用いた包装構造を提供することを課題とする。
【課題を解決するための手段】
【００１０】
上記課題を解決するために、本願発明（請求項１）の包装材は、
被包装物の背面部を保護する第１の緩衝部と、被包装物の底面部を保護する第２の緩衝部と、被包装物の側面部を保護する第３の緩衝部とを備えた包装材であって、
前記第１の緩衝部が、前記第２の緩衝部および前記第３の緩衝部に連なる１枚のダンボール紙から形成されており、かつ、
前記第１の緩衝部が、
境界部が折り曲げ加工されて、軸方向に直交する断面形状が多角形である筒状の外周壁を構成する複数の外周壁構成領域と、
前記外周壁構成領域と連続し、前記外周壁の内部に配設される内部壁を構成する複数の内部壁構成領域であって、複数の内部壁構成領域の間の折り曲げ部の少なくとも１つが、外周壁構成領域を折り曲げ加工することにより形成される前記外周壁の内面に当接し、前記外周壁構成領域と連続する領域とは逆側の、内部壁構成領域の先端部または、外周壁の内面に当接する最後の折り曲げ部の次の折り曲げ部が、コーナー部に当接する複数の内部壁構成領域と、
前記外周壁の一部と係合し、前記外周壁を所定の形状に保持する係合領域とを備えていること
を特徴としている。
【００１１】
また、本願発明（請求項２）の包装材は、
被包装物の背面部を保護する第１の緩衝部と、被包装物の底面部を保護する第２の緩衝部と、被包装物の側面部を保護する第３の緩衝部とを備えた包装材であって、
前記第１の緩衝部が、前記第２の緩衝部および前記第３の緩衝部に連なる１枚のダンボール紙から形成されており、かつ、
前記第１の緩衝部が、
境界部が谷になるように折り曲げ加工されて、軸方向に直交する断面形状が方形である筒状の外周壁を構成する第１、第２、第３および第４の外周壁構成領域と、
前記外周壁構成領域と連続し、前記外周壁の内部に配設される内部壁を構成する複数の内部壁構成領域であって、複数の内部壁構成領域の間の折り曲げ部の少なくとも１つが、外周壁構成領域を折り曲げ加工することにより形成される前記外周壁の内面に当接し、前記外周壁構成領域と連続する領域とは逆側の、内部壁構成領域の先端部または、外周壁の内面に当接する最後の折り曲げ部の次の折り曲げ部が、コーナー部に当接する複数の内部壁構成領域と、
前記外周壁の一部と係合し、前記外周壁を所定の形状に保持する係合領域と
を備え、
前記第１の外周壁構成領域が、折り曲げ加工されて前記外周壁の上面となり、前記第２の外周壁構成領域が、前記第１の外周壁構成領域と隣り合い、折り曲げ加工されて前記外周壁の前面となり、前記第３の外周壁構成領域が、前記第２の外周壁構成領域と隣り合い、折り曲げ加工されて前記外周壁の底面となり、前記第４の外周壁構成領域が、前記第３の外周壁構成領域と隣り合い、折り曲げ加工されて前記外周壁の背面となるように構成されており、
前記内部壁構成領域が２つの場合においては、２つの前記内部壁構成領域の間の折り曲げ部が、第２の外周壁構成領域の内面に当接し、前記外周壁構成領域と連続する領域とは逆側の、前記内部壁構成領域の先端部が、第４の外周壁構成領域と第３の外周壁構成領域の間のコーナー部に当接し、
前記内部壁構成領域が３つ以上の場合においては、複数の内部壁構成領域の間の折り曲げ部の連続する少なくとも２つが、第２の外周壁構成領域の内面と、第２の外周壁構成領域に対向する第４の外周壁構成領域の内面とに、交互に当接し、または、第２の外周壁構成領域の内面と、第２の外周壁構成領域に対向する第４の外周壁構成領域の内面のいずれか一方に当接し、前記外周壁構成領域と連続する領域とは逆側の、前記内部壁構成領域の先端部または、外周壁の内面に当接する最後の折り曲げ部の次の折り曲げ部が、コーナー部に当接し、
前記内部壁構成領域の間の１つまたは複数の折り曲げ部が、第２の外周壁構成領域の内周面の所定の位置に当接するように各内部壁構成領域の長さが定められており、
前記係合領域は、外周壁構成領域の一部と隣り合う、先端側係合領域と基端側係合領域を備えており、折り曲げ加工されることによって外周壁の内側に入り込み、前記先端側係合領域と前記基端側係合領域との間に、第３の外周壁構成領域を挟み込むことにより第１の緩衝部が所定の形状に保持されるように構成されていること
を特徴としている。
【００１２】
また、請求項３の包装材は、
被包装物の底面部を保護する前記第２の緩衝部が、
前記基端側係合領域に連続し、底面となる第１０の領域と、
前記第１０の領域と隣り合い、折り曲げ加工されて垂直面となる第１１の領域と、
前記第１１の領域と隣り合い、折り曲げ加工されて上面となる第１２の領域と、
前記第１２の領域と隣り合い、折り曲げ加工されて前記第１１の領域と対向する垂直面となる第１３の領域と
を具備すること
を特徴としている。
【００１３】
また、請求項４の包装材は、
被包装物の側面部を保護する第３の緩衝部が、
前記第１の緩衝部を構成する前記第４の外周壁構成領域、前記基端側係合領域、および、第２の緩衝部を構成する前記第１０の領域と連続し、外側垂直面となる第２０の領域と、
前記第２０の領域と隣り合い、折り曲げ加工されて上面となる第２１の領域と、
前記第２１の領域と隣り合い、折り曲げ加工されて、外側垂直面である第２０の領域と対向する、内側垂直面となる第２２の領域と、
前記第２２の領域に隣り合い、前記第２の緩衝部と係合して第２および第３の緩衝部を所定の形状に保持する第３の緩衝部の係合部領域と
を具備すること
を特徴としている。
【００１４】
また、請求項５の包装材は、前記第２０の領域および前記第２１の領域のなす角度が９０゜より小さいことを特徴としている。
【００１５】
また、請求項６の包装材は、
支柱部本体と、
その両端側に配設された一対の支柱側部と、
前記各支柱側部に連設された一方および他方の係合片と
を備えた支柱部を備え、
前記一方の係合片が、前記基端側係合領域と前記第３の外周壁構成領域の間に挿入され、前記他方の係合片が、底面となる前記第１０の領域と、底面となる第１０の領域から延設された折り曲げ領域との間に挿入されることにより前記包装材と一体に結合されていること
を特徴としている。
【００１６】
また、本願発明（請求項７）の包装構造は、請求項１〜６のいずれかに記載の包装材が、被包装物の両端側に配設されたことを特徴としている。
【００１７】
また、本願発明（請求項８）の包装構造は、
請求項１〜６のいずれかに記載の包装材を用いた被包装物の包装構造であって、
被包装物の下面側には、被包装物の下面側を保護する下ケースが配設され、
被包装物の両端部には、請求項１〜６のいずれかに記載の包装材が配設され、
被包装物の上面側には、被包装物の上面側を保護する上ケースが配設され、
締結部材により、前記上ケースと、前記下ケースと、請求項１〜６のいずれかに記載の包装材が一体に締結されていること
を特徴としている。
【００１８】
また、請求項９の包装構造は、前記締結部材がシュリンク包装材および／またはバンドであることを特徴としている。
【発明の効果】
【００１９】
本願発明（請求項１）の包装材は、被包装物の背面部を保護する第１の緩衝部と、被包装物の底面部を保護する第２の緩衝部と、被包装物の側面部を保護する第３の緩衝部とを備えた包装材であって、第１の緩衝部が、第２の緩衝部および第３の緩衝部に連なる１枚のダンボール紙から形成されており、かつ、第１の緩衝部が、境界部が折り曲げ加工されて、軸方向に直交する断面形状が多角形である筒状の外周壁を構成する複数の外周壁構成領域と、外周壁構成領域と連続し、外周壁の内部に配設される内部壁を構成する複数の内部壁構成領域であって、複数の内部壁構成領域の間の折り曲げ部の少なくとも１つが、外周壁構成領域を折り曲げ加工することにより形成される外周壁の内面に当接し、外周壁構成領域と連続する領域とは逆側の、内部壁構成領域の先端部または、外周壁の内面に当接する最後の折り曲げ部の次の折り曲げ部が、コーナー部に当接する複数の内部壁構成領域と、外周壁の一部と係合し、外周壁を所定の形状に保持する係合領域とを備えているので、第２の緩衝部および第３の緩衝部に連なる１枚のダンボール紙を折り曲げ加工するだけで、被包装物の背面部を保護する第１の緩衝部を形成することが可能になり、第２の緩衝部および第３の緩衝部を一体に備えた包装材を得ることが可能になる。したがって、被包装物の背面部、底面部、および側面部を保護する機能を備えた包装材を得ることが可能になる。
【００２０】
すなわち、本願発明（請求項１）の包装材は、第２の緩衝部および第３の緩衝部に連なる１枚のダンボール紙を折り曲げ加工することにより、第１の緩衝部、第２の緩衝部、第３の緩衝部が形成され、第１の緩衝部は、内部壁構成領域、外周壁構成領域、および係合領域とを備えているので、背景技術として説明した特許文献１の包装材のように、別途内部壁構成部材（すなわち、くの字状の補強部材９２ｆ）などを必要とせず、部品点数を減らすことが可能になる。その結果、包装材の製造コストや管理コストの軽減を図ることが可能になるとともに、包装工程の簡略化を図ることが可能になる。
また、特許文献１のような包装材（図１０参照）では、通常、内部壁構成部材（補強部材９２ｆ）が別部材であることから、包装工程で、補強部材９２ｆが方向を間違えて第２パッド部材９２ｂの内側に挿入され、所望の強度が得られなくなったり、第２パッド部材９２ｂと補強部材９２ｆの位置ずれが生じて第２パッド部材９２ｂや補強部材９２ｆなどを組み合わせることにより形成された構造体が崩れてしまったりする場合があり、包装信頼性が必ずしも十分ではないという問題点があるが、本願発明（請求項１）の包装材では、第１の緩衝部が、内部壁構成領域と、外周壁構成領域と、係合領域とを一体に備えた構成となっているため、各部の崩れや位置ずれなどが生じにくく、また、部材の組み合わせ方向を間違ったりすることもない。したがって、本願発明（請求項１）の包装材を用いることにより、信頼性の高い包装を効率よく行うことが可能になる。
なお、本願発明においては、包装材の構成材料として、段ボール紙や古紙成型材料などを好適に用いることができる。
【００２１】
なお、複数の内部壁構成領域の間の折り曲げ部の少なくとも１つが、外周壁構成領域を折り曲げ加工することにより形成される外周壁の内面に当接し、外周壁構成領域と連続する領域とは逆側の、内部壁構成領域の先端部または、外周壁の内面に当接する最後の折り曲げ部の次の折り曲げ部が、コーナー部に当接するように構成することにより、外周壁構成領域を折り曲げ加工することにより形成される外周壁の形状および内部壁の折り曲げ加工後の形状を確実に保持することが可能になる。したがって、外周壁の内面に当接する最後の折り曲げ部の次の折り曲げ部をコーナー部に当接させるようにした場合、それ以降の折り曲げ部から先端部までの領域を、第１の緩衝部の強度向上などの用途に利用することが可能である。
【００２２】
また、本願発明（請求項２）の包装材は、被包装物の背面部を保護する第１の緩衝部と、被包装物の底面部を保護する第２の緩衝部と、被包装物の側面部を保護する第３の緩衝部とを備えた包装材であって、第１の緩衝部が、第２の緩衝部および第３の緩衝部に連なる１枚のダンボール紙から形成されており、かつ、第１の緩衝部が、境界部が谷になるように折り曲げ加工されて、軸方向に直交する断面形状が方形である筒状の外周壁を構成する第１、第２、第３および第４の外周壁構成領域と、外周壁構成領域と連続し、外周壁の内部に配設される内部壁を構成する複数の内部壁構成領域であって、複数の内部壁構成領域の間の折り曲げ部の少なくとも１つが、外周壁構成領域を折り曲げ加工することにより形成される前記外周壁の内面に当接し、外周壁構成領域と連続する領域とは逆側の、内部壁構成領域の先端部または、外周壁の内面に当接する最後の折り曲げ部の次の折り曲げ部が、コーナー部に当接する複数の内部壁構成領域と、外周壁の一部と係合し、外周壁を所定の形状に保持する係合領域とを備え、第１の外周壁構成領域が、折り曲げ加工されて外周壁の上面となり、第２の外周壁構成領域が、第１の外周壁構成領域と隣り合い、折り曲げ加工されて外周壁の前面となり、第３の外周壁構成領域が、第２の外周壁構成領域と隣り合い、折り曲げ加工されて外周壁の底面となり、第４の外周壁構成領域が、第３の外周壁構成領域と隣り合い、折り曲げ加工されて外周壁の背面となるように構成されており、内部壁構成領域が２つの場合においては、２つの内部壁構成領域の間の折り曲げ部が、第２の外周壁構成領域の内面に当接し、外周壁構成領域と連続する領域とは逆側の、内部壁構成領域の先端部が、第４の外周壁構成領域と第３の外周壁構成領域の間のコーナー部に当接し、内部壁構成領域が３つ以上の場合においては、複数の内部壁構成領域の間の折り曲げ部の連続する少なくとも２つが、第２の外周壁構成領域の内面と、第２の外周壁構成領域に対向する第４の外周壁構成領域の内面とに、交互に当接し、または、第２の外周壁構成領域の内面と、第２の外周壁構成領域に対向する第４の外周壁構成領域の内面のいずれか一方に当接し、外周壁構成領域と連続する領域とは逆側の、内部壁構成領域の先端部または、外周壁の内面に当接する最後の折り曲げ部の次の折り曲げ部が、コーナー部に当接し、内部壁構成領域の間の１つまたは複数の折り曲げ部が、第２の外周壁構成領域の内周面の所定の位置に当接するように各内部壁構成領域の長さが定められており、係合領域は、外周壁構成領域の一部と隣り合う、先端側係合領域と基端側係合領域を備えており、折り曲げ加工されることによって外周壁の内側に入り込み、先端側係合領域と基端側係合領域との間に、第３の外周壁構成領域を挟み込むことにより第１の緩衝部が所定の形状に保持されるように構成されているので、第２の緩衝部および第３の緩衝部に連なる１枚のダンボール紙を折り曲げ加工するだけで、被包装物の背面部を保護する第１の緩衝部を形成することが可能になり、第２の緩衝部および第３の緩衝部を一体に備えた包装材を得ることが可能になる。したがって、被包装物の背面部、底面部、および側面部を保護する機能を備えた包装材を確実に得ることが可能になる。
また、本願請求項２の包装材においても、上記請求項１について述べた効果と同様の効果を得ることができる。
【００２３】
また、請求項３の包装材のように、被包装物の底面部を保護する第２の緩衝部が、基端側係合領域に連続し、底面となる第１０の領域と、第１０の領域と隣り合い、折り曲げ加工されて垂直面となる第１１の領域と、第１１の領域と隣り合い、折り曲げ加工されて上面となる第１２の領域と、第１２の領域と隣り合い、折り曲げ加工されて第１１の領域と対向する垂直面となる第１３の領域とを具備するような構成とした場合、より信頼性の高い包装を効率よく行うことが可能になる。
すなわち、第２の緩衝部が、第１の緩衝部を構成する１枚のダンボール紙と連なって構成されているため、構造体の崩れや位置ずれなどが生じにくく、包装工程が煩雑になることを防止しつつ、信頼性の高い包装を効率よく行うことが可能になる。
また、被包装物の底面部を確実に保持して位置ずれを防止することが可能になるとともに、被包装物の底面部を保護することが可能になる。
【００２４】
また、請求項４の包装材のように、被包装物の側面部を保護する第３の緩衝部が、第１の緩衝部を構成する第４の外周壁構成領域、基端側係合領域、および、第２の緩衝部を構成する第１０の領域と連続し、外側垂直面となる第２０の領域と、第２０の領域と隣り合い、折り曲げ加工されて上面となる第２１の領域と、第２１の領域と隣り合い、折り曲げ加工されて、外側垂直面である第２０の領域と対向する、内側垂直面となる第２２の領域と、第２２の領域と隣り合い、第２の緩衝部と係合して第２および第３の緩衝部を所定の形状に保持する第３の緩衝部の係合部領域とを具備するような構成とした場合、さらに信頼性の高い包装を効率よく行うことが可能になる。
すなわち、第３の緩衝部が、第１の緩衝部を構成する１枚のダンボール紙と連なって構成されているため、構造体の崩れや位置ずれなどが生じにくく、包装工程が煩雑になることを防止しつつ、信頼性の高い包装を効率よく行うことが可能になる。
また、被包装物の側面部を確実に保持して位置ずれを防止することが可能になるとともに、被包装物の側面部を保護することが可能になる。
【００２５】
また、請求項５の包装材のように、第２０の領域および第２１の領域のなす角度を９０゜より小さくすることにより、被包装物が包装されている際に被包装物側（内側）から包装材側（外側）に向かって力が加わったとしても、第３の緩衝部が上面側に位置ずれしたりすることがなく、構造体の崩れや位置ずれなどが生じにくく、信頼性の高い包装を効率よく行うことが可能になる。
【００２６】
また、請求項６の包装材のように、支柱部本体と、その両端側に配設された一対の支柱側部と、各支柱側部に連設された一方および他方の係合片とを備えた支柱部を、一方の係合片を、基端側係合領域と第３の外周壁構成領域の間に挿入し、他方の係合片を、底面となる第１０の領域と、底面となる第１０の領域から延設された折り曲げ領域との間に挿入して、請求項１〜５のいずれかに記載の包装材と一体に結合させることにより、構造体の崩れや位置ずれなどの発生を防止するとともに、包装工程が煩雑になることを防止して、信頼性の高い包装を効率よく行うことが可能になる。
また、支柱部と請求項１〜５のいずれかに記載の包装材とを一体に結合させているので、被包装物の側面部をさらに確実に保持して被包装物の位置ずれを防止することが可能になるとともに、被包装物の側面部をさらに確実に保護することが可能になる。
【００２７】
また、本願発明（請求項７）の包装構造のように、請求項１〜６のいずれかに記載の包装材が、被包装物の両端側に配設された構造とすることにより、被包装物の両端側を確実に保持して位置ずれを防止することが可能になるとともに、被包装物の両側面部を確実に保護することが可能になり、効率よく、信頼性の高い包装を実現することが可能になる。
【００２８】
また、本願発明（請求項８）の包装構造は、被包装物の下面側には、被包装物の下面側を保護する下ケースを配設し、被包装物の両端部には、請求項１〜６のいずれかに記載の包装材を配設し、被包装物の上面側には、被包装物の上面側を保護する上ケースを配設し、締結部材により、上ケースと、下ケースと、請求項１〜６のいずれかに記載の包装材を一体に締結するようにしているので、部品点数の少ない包装材により、信頼性の高い包装を行うことが可能になるとともに、包装材の製造コストや管理コストの軽減を図ることが可能になる。
【００２９】
また、請求項９の包装構造のように、締結部材がシュリンク包装材および／またはバンドである場合、包装構造体をより確実に一体に保持することが可能になり、包装信頼性をさらに向上させることができる。
【発明を実施するための最良の形態】
【００３０】
以下に本願発明の実施例を示して、本願発明の特徴とするところをさらに詳しく説明する。
【実施例】
【００３１】
図５は本願発明の一実施例にかかる包装材を用いた加熱調理器（被包装物）の包装構造を示す分解斜視図である。
【００３２】
この実施例における被包装物は、ガスを燃料として加熱調理を行う加熱調理器であって、この加熱調理器Ｄは、調理器本体（実質的な被包装物）３１と、調理器本体３１の上面側に配設されるトッププレート３２と、使用時に調理器本体３１やトッププレート３２などに取り付けて用いられる付属部品を備えており、この付属部品には、五徳３３、汁受け皿３４などが含まれている。
また、調理器本体３１の前面には、グリル扉３８、操作つまみ３６などが配設されており、グリル扉３８により開閉されるグリル３７には、焼網、水入れ皿（図示せず）が収納されている。
【００３３】
また、この実施例において用いられている包装材は、調理器本体３１の下面側に位置して調理器本体３１の下面側を保護する下ケース５０と、被包装物を保護するための緩衝材として、包装後において包装構造体の支柱となる一対の支柱部４０と、支柱部４０の内側にはまり込み、調理器本体３１の側面側を保護する包装材５５と、被包装物の上面側に配設され、調理器本体３１の上面側を保護するとともに、支柱部４０の外側にはまり込むことにより、支柱部４０と結合する上ケース５１とを備えている。さらに、被包装物を保護するための緩衝材として、調理器本体３１の前面を保護する前パッド５２と、調理器本体３１の前面下部を保護する前下パッド５３と、五徳３３、汁受け皿３４等の部品を収納する部品収納パッド５４と、トッププレート３２を収納するプレート収納ケース３２ａを備えている。
【００３４】
以下、図１および図２を参照しながら実施例の包装材５５について詳しく説明する。
本願発明の包装材５５は、１枚のダンボール紙から形成され、被包装物（加熱調理器Ｄ（狭義には調理器本体３１）（図５参照））の背面部を保護する第１の緩衝部Ａと、調理器本体（被包装物）３１の底面部を保護する第２の緩衝部Ｂと、調理器本体（被包装物）３１の側面部を保護する第３の緩衝部Ｃとを備えた構成となっている。
【００３５】
調理器本体３１の背面部を保護する第１の緩衝部Ａは、境界部が谷になるように折り曲げ加工されて、軸方向に直交する断面形状が方形である外周壁Ａ１を構成する第１、第２、第３および第４の外周壁構成領域１，２，３，４と、内部壁Ａ２を構成する内部壁構成領域５，６と、外周壁Ａ１を所定の形状に保持する係合領域７，８（Ａ３）とを備えている。
【００３６】
そして、第１の外周壁構成領域１は、折り曲げ加工されて外周壁Ａ１の上面となり、第２の外周壁構成領域２は、第１の外周壁構成領域１と隣り合い、折り曲げ加工されて外周壁Ａ１の前面となり、第３の外周壁構成領域３は、第２の外周壁構成領域２と隣り合い、折り曲げ加工されて外周壁Ａ１の底面となり、第４の外周壁構成領域４は、第３の外周壁構成領域３と隣り合い、折り曲げ加工されて外周壁Ａ１の背面となるように構成されている。
第１、２，３，４の外周壁構成領域１〜４は、境界部が谷になるように折り曲げ加工されて、第１の外周壁構成領域１に配設された係合爪１ａを、第４の外周壁構成領域４と内部壁構成領域５の境界部に設けられた係合用スリット１ｂに挿入することにより、軸方向に直交する断面形状が方形の筒状構造体となるように組み立てられる。なお、実施例では、断面形状が長方形となる構成をとっている。
【００３７】
内部壁構成領域５，６は、折り曲げ加工された際に外周壁構成領域の内部でくの字状を形成するためのものであり、内部壁構成領域５，６の間の折り曲げ部２５は、折り曲げ加工した際の第２の外周壁構成領域２の内面に当接し、図２に示すように展開した際に、第４の外周壁構成領域４に連続する領域とは逆側の、内部壁構成領域６の先端部６ａは、折り曲げ加工した際には、第３の外周壁構成領域３と、第４の外周壁構成領域４との間の折り曲げ部であるコーナー部に当接している。
これにより、外周壁の形状が確実に保持され、信頼性の高い包装を行うことが可能になる。
そして、内部壁構成領域５，６の間の折り曲げ部２５に対応する位置に、調理器本体３１の一部が第２の外周壁構成領域２の外側から当接するように構成した場合、調理器本体３１による圧力で外周壁Ａ１が押しつぶされたり、形状が崩れたりすることを防止して、より信頼性の高い包装を行うことが可能になる。
【００３８】
また、係合領域Ａ３は、先端側係合領域７と基端側係合領域８を備えており、第１、２，３の外周壁構成領域１〜３の一部と隣り合うように構成されている。さらに、図３に示すように、先端側係合領域７と基端側係合領域８は、折り曲げ加工されることによって外周壁Ａ１の内側に入り込み、先端側係合領域７と基端側係合領域８との間に、第３の外周壁構成領域３を挟み込むことにより第１の緩衝部Ａを所定の形状に保持するように構成されている。
なお、内部壁構成領域５，６の長さは、内部壁構成領域５，６の間の折り曲げ部２５が、第２の外周壁構成領域２の内周面の所定の位置に当接するように規定されている。折り曲げ部が複数ある場合には、後述のように、第２の外周壁構成領域２の内周面および第２の外周壁構成領域２に対向する第４の外周壁構成領域４の内周面のいずれか一方、または両方に当接するように構成することが可能である（図７(ａ)，(ｂ)参照）。
【００３９】
なお、実施例においては、内部壁構成領域が２つである場合を例にとって説明しているが、３つ以上の場合も本願発明に含まれる。
すなわち、内部壁構成領域が３つ以上の場合においては、例えば、図７(ａ)に示すように、複数の内部壁構成領域の間の折り曲げ部２５ａ，２５ｂ，２５ｃのうち、連続する少なくとも２つが、第２の外周壁構成領域２の内面と、第２の外周壁構成領域２に対向する第４の外周壁構成領域４の内面とに、交互に当接している。
【００４０】
また、本願発明には、３つ以上の内部壁構成領域が、第２の外周壁構成領域２の内面と、第２の外周壁構成領域２に対向する第４の外周壁構成領域４の内面のいずれか一方にのみ当接し、外周壁構成領域と連続する領域とは逆側の、内部壁構成領域６の先端部６ａが、第３の外周壁構成領域３と、第４の外周壁構成領域４との間の折り曲げ部であるコーナー部に当接する場合も含まれる。すなわち、図７(ｂ)に示すように、内部壁構成領域の間の折り曲げ部２５ｄ，２５ｅが第２の外周壁構成領域２のみに当接して、調理器本体３１を保持している場合なども本願発明に含まれる。
【００４１】
さらに、特に図示しないが、３つ以上の内部壁構成領域を有する場合、内部壁構成領域の間の複数の折り曲げ部が第２の外周壁構成領域２に連続して当接し、さらに折り曲げ加工されて、第４の外周壁構成領域４に複数の折り曲げ部が連続して当接する場合など種々の態様が考えられるがこれらも本願発明の一態様に含まれる。
【００４２】
また、調理器本体３１の底面部を保護する第２の緩衝部Ｂは、図２および図３に示すように、基端側係合領域８に連続し、底面となる第１０の領域１０と、第１０の領域１０と隣り合い、折り曲げ加工されて垂直面となる第１１の領域１１と、第１１の領域１１と隣り合い、折り曲げ加工されて上面となる第１２の領域１２と、第１２の領域１２と隣り合い、折り曲げ加工されて第１１の領域１１と対向する垂直面となる第１３の領域１３と、第１３の領域１３と隣り合い、折り曲げ加工されて第１０の領域の上部に重なる第１４の領域１４とを具備している。さらに、第１０の領域１０から延設された折り曲げ領域１５を備えている。
【００４３】
調理器本体３１の側面部を保護する第３の緩衝部Ｃは、第２０，２１，２２の領域２０，２１，２２、および係合部領域２３を備えており、第２０の領域２０は、第１の緩衝部Ａを構成する第４の外周壁構成領域４、基端側係合領域８、および、第２の緩衝部Ｂを構成する第１０の領域１０と連続し、折り曲げ加工されて外側（側面側）垂直面となる。また、図３に示すように、第２１の領域２１は、第２０の領域２０と隣り合い、折り曲げ加工されて上面となり、第２２の領域２２は、第２１の領域２１と隣り合い、折り曲げ加工されて、外側垂直面である第２０の領域２０と対向する、内側垂直面となるように構成されている。さらに、第３の緩衝部Ｃの係合部領域２３は、第２２の領域２２に隣り合い、折り曲げ加工後に、第１２の領域１２に形成された係合孔２４にはめ込まれて、第２の緩衝部Ｂと係合して第２の緩衝部Ｂおよび第３の緩衝部Ｃを所定の形状に保持する役割を果たすように構成されている。
【００４４】
なお、この実施例では、図１に示すように、第２０の領域２０および第２１の領域２１のなす角度θが約９０゜となるように構成されている。
ただし、図８に示すように、第２０の領域２０および第２１の領域２１のなす角度θを９０゜より小さくなるように構成した場合、被包装物（調理器本体）３１が包装された状態で、被包装物側（内側）から包装材側（外側）に向かって力が加わったとしても、第３の緩衝部Ｃを構成する内側垂直面となる第２２の領域２２が下側に押し付けられるような力が加わることになり、第３の緩衝部Ｃを構成する第２２の領域２２などが、第１の緩衝部Ａおよび第２の緩衝部Ｂとより確実に係合して、包装材５５全体がさらに強固に結合されることになる。
なお、図８において、図１と同一符号を付した部分は、同一または相当する部分を示している。
【００４５】
次に、上述のような構成を有する、本願発明の実施例にかかる包装材５５を用いた包装構造について、図４，図５，図６などを参照しつつ、説明する。
この実施例では、図４に示すように、包装材５５の側面側に、支柱部４０を取り付けて使用している。
すなわち、支柱部４０は、図４(ａ)に示すように、支柱部本体４１と、その両端側に配設された支柱側部４２と、支柱側部４２に連設された係合片４３ａ，４３ｂとを備えている。
【００４６】
そして、一方の係合片４３ａは、基端側係合領域８と第３の外周壁構成領域３の間に挿入され、他方の係合片４３ｂは、底面となる第１０の領域１０と、底面となる第１０の領域１０から延設された折り曲げ領域１５との間に挿入されて、図４(ｂ)に示すように、包装材５５と一体に結合されている。
なお、包装材５５および支柱部４０が、調理器本体（被包装物）３１の両端側に配設されているので、調理器本体３１の両端側を確実に保持して位置ずれを防止することが可能になるとともに、調理器本体３１の両側面部を保護することが可能になる。
【００４７】
そして、図５に示すように、調理器本体３１の側面側を保護する一対の支柱部４０および包装材５５、調理器本体３１の前面を保護する前パッド５２、調理器本体３１の前側下部を保護する前下パッド５３、トッププレート３２を収納するプレート収納ケース３２ａ、プレート収納ケース３２ａと上ケース５１の間に配設される、五徳３３、汁受け皿３４などの付属部品を収納するための部品収納パッド５４、下ケース５０、上ケース５１などを所定の位置に配設した状態で、シュリンク包装材１８により全体を被覆した後、所定の温度（例えば、２００℃）に加熱し、シュリンク包装材１８を収縮させることにより、上述の各包装材が、加熱調理器Ｄに対して、所定の位置に確実に保持、固定された状態の包装構造体４５（図６）が得られる。なお、図６は、包装構造体４５に、締結部材として、さらにポリプロピレン製のバンド１９を巻き回して締結した状態を示している。
これにより、簡単な包装構造により、複雑な包装工程を必要とすることなく、加熱調理器Ｄを確実に包装することが可能になる。
【００４８】
また、図４に示すように、包装材５５と一体に折り曲げ加工された支柱部４０が、包装構造体４５における支柱としての機能を果たすことになり、積み重ねて保管した場合の荷崩れの発生を抑制、防止することができる。
また、下ケース５０および上ケース５１を、包装材５５と一体に結合された支柱部４０の外側にはまり込ませることにより、下ケース５０および上ケース５１が一体に結合された状態を確実に保持することが可能になり、被包装物の位置ずれなどを抑制することが可能になる。
【００４９】
なお、締結部材としては、上記のようにシュリンク包装材およびバンドの両方を使用する以外に、シュリンク包装材およびバンドのいずれか一方のみを使用することも可能であり、その場合にも、上記両方の部材を使用した場合に準じる効果を得ることが可能になる。
【００５０】
なお、締結部材であるシュリンク包装材１８としては、ポリオレフィン系材料からなる、いわゆる「ポリシュリンクフィルム」として広く知られている樹脂シートが用いられている。ただし、シュリンク包装材１８としては、その他にも、加熱することにより収縮する機能を備えた種々の樹脂シートを用いることが可能である。
【００５１】
なお、本願発明の包装材においては、前パッド５２、前下パッド５３、部品収納パッド５４などの具体的な形状に特別の制約はなく、例えば、箱形の形状とすることも可能である。
また、前パッド５２、前下パッド５３、部品収納パッド５４などをさらに異なる形状とすることも可能である。
【００５２】
また、上記実施例では、シュリンク包装材１８により包装する場合に、特に包装構造体が密閉されるような構成とはしていないが、シュリンク包装材１８により包装構造体４５の全体を被覆して密閉状態とすることにより、さらに包装信頼性を向上させることができる。
【００５３】
また、上記実施例では、被包装物が加熱調理器（調理器本体）である場合を例にとって説明したが、本願発明において、被包装物は加熱調理器に限られるものではなく、ガス給湯器その他の種々の被包装物を包装する場合に本願発明を広く適用することが可能である。
【００５４】
また、本願発明において、被包装物の底面側、側面側、背面側、上面側などは相対的な方向を示すものであり、絶対的な方向を示すものではなく、包装構造体を載置する姿勢によっては底面側、側面側、背面側、上面側の方向が変化する場合もある。
【００５５】
本願発明はさらにその他の点においても上記実施例に限定されるものではなく、発明の範囲内において、種々の応用、変形を加えることが可能である。
【産業上の利用可能性】
【００５６】
上記のように、本願発明によれば、構造が簡単で、コストの増大を招くことのない包装材を実現することが可能で、該包装材を用いることにより、コストの増大を招くことなく被包装物を効率よく包装して、信頼性の高い包装を実現することが可能になる。
したがって、本願発明は、加熱調理器などの被包装物を包装する場合に広く利用することが可能であり、有意義である。
【図面の簡単な説明】
【００５７】
【図１】本願発明の一実施例にかかる包装材の構成を示す斜視図である。
【図２】本願発明の一実施例にかかる包装材の展開図である。
【図３】本願発明の一実施例にかかる包装材の要部を折り曲げ加工する方法を示す図である。
【図４】(ａ)は、本願発明の一実施例にかかる包装材および支柱部の斜視図であり、(ｂ)は支柱部を包装材に一体に結合させた状態を示す斜視図である。
【図５】本願発明の一実施例にかかる加熱調理器の包装構造を示す分解斜視図である。
【図６】本願発明の一実施例にかかる包装材を用いて加熱調理器を包装した状態を示す斜視図である。
【図７】(ａ)は、本願発明の一実施例において、内部壁構成領域が３つ以上の場合の一例を示す図であり、(ｂ)は内部壁構成領域が３つ以上の場合の他の例を示す図である。
【図８】本願発明の一実施例にかかる包装材の変形例を示す斜視図である。
【図９】従来の包装材を用いた加熱調理器の包装構造を示す分解斜視図である。
【図１０】従来の包装材を構成する側パッドの構成を示す分解斜視図である。
【符号の説明】
【００５８】
１        第１の外周壁構成領域
１ａ      係合爪
１ｂ      係合用スリット
２        第２の外周壁構成領域
３        第３の外周壁構成領域
４        第４の外周壁構成領域
５，６    内部壁構成領域
６ａ      内部壁構成領域の先端部
７        係合領域（先端側係合領域）
８        係合領域（基端側係合領域）
１０      第１０の領域
１１      第１１の領域
１２      第１２の領域
１３      第１３の領域
１４      第１４の領域
１５      折り曲げ領域
１８      シュリンク包装材
１９      ポリプロピレン製のバンド
２０      第２０の領域
２１      第２１の領域  
２２      第２２の領域
２３      係合部領域
２４      係合孔
２５，２５ａ，２５ｂ，２５ｃ，２５ｄ，２５ｅ      折り曲げ部
３１      調理器本体（被包装物）
３２      トッププレート
３２ａ    プレート収納ケース
３３      五徳
３４      汁受け皿
３６      操作つまみ
３７      グリル
３８      グリル扉
４０      支柱部
４１      支柱部本体
４２      支柱側部
４３ａ，４３ｂ        係合片
４５      包装構造体
５０      下ケース
５１      上ケース
５２      前パッド
５３      前下パッド
５４      部品収納パッド
５５      包装材
Ａ        第１の緩衝部
Ａ１      外周壁
Ａ２      内部壁
Ａ３      係合領域
Ｂ        第２の緩衝部
Ｃ        第３の緩衝部
Ｄ        加熱調理器
θ        第２１の領域と第２２の領域のなす角度
【図１】
2005313977.tif 000003
【図２】
2005313977.tif 000004
【図３】
2005313977.tif 000005
【図４】
2005313977.tif 000006
【図５】
2005313977.tif 000007
【図６】
2005313977.tif 000008
【図７】
2005313977.tif 000009
【図８】
2005313977.tif 000010
【図９】
2005313977.tif 000011
【図１０】
2005313977.tif 000012